(57)【要約】【課題】本発明は、簡易型防音パネル装置を設置する際、骨組み部材を用意する必要がなく、各工程に要する時間や諸経費、人手を節減し、骨組み部材の手配や入手が困難な状況においても、既存の平面状簡易型防音パネル部分をそのまま使って少人数で素早く手軽に設置することができ、また高い防音効果が得られ、さらに組み立てた状態で吊り上げて移動することも可能とした防音パネル装置の隅角部に使用される自立式コーナーパネルを提供することを目的とする。【解決手段】本発明は上下に開口を有する方形状囲い型防音パネル装置の隅角部に用いられる自立用のコーナーパネルであり、二つ折り可能なコーナーパネル本体と、コーナーパネル本体を所定の折り曲げ角度に保持すべく内側に取り付けられた角度保持リブと、コーナーパネル本体の長さ方向に沿って保持された防音パネル装置組立用パイプとを有することを特徴とする。【選択図】       図１
2017128892.tif 000002
【特許請求の範囲】
【請求項１】
上下に開口を有する方形状囲い型防音パネル装置の隅角部に用いられる自立用のコーナーパネルであり、
幅方向略中央位置から縦方向に向かい二つ折り可能なコーナーパネル本体と、前記コーナーパネル本体を前記幅方向略中央位置から所定の折り曲げ角度に保持すべくコーナーパネル本体内側に取り付けられる角度保持リブと、コーナーパネル本体の長さ方向に沿って保持された防音パネル装置組立用パイプと、を有する、
ことを特徴とする防音パネル装置の隅角部に使用される自立式コーナーパネル。
【請求項２】
前記防音パネル装置組立用パイプは、パイプの長手方向に向かって伸縮可能に構成されたパイプである、
ことを特徴とする請求項１記載の防音パネル装置の隅角部に使用される自立式コーナーパネル。
【請求項３】
前記防音パネル装置組立用パイプが不足のとき、前記コーナーパネルに保持されていないパイプを継ぎ足して使用する、
ことを特徴とする請求項１または請求項２記載の防音パネル装置の隅角部に使用される自立式コーナーパネル。
【請求項４】
前記前記防音パネル装置組立用パイプの接続に際しては、接続具を用い、一直線状にあるいは端部を重ね合わせて接続する、
ことを特徴とする請求項１、請求項２または請求項３記載の防音パネル装置の隅角部に使用される自立式コーナーパネル。
【発明の詳細な説明】
【技術分野】
【０００１】
本発明は、騒音源を簡単に略方形状に囲い、積極的な防音機能を発揮させる簡易型防音パネル装置に係り、特に単管パイプ等による骨組み無しに組み立てることを可能とした防音パネル装置の隅角部に使用される自立式コーナーパネルに関するものである。
【背景技術】
【０００２】
従来より、簡易型防音パネル装置は、一般的に知られ、かつ作業騒音の防音装置として作業現場などで頻繁に使用されている。そして、防音パネル装置の構成部材である防音パネルの主要吸音材としては、グラスウール・発泡ポリプロピレン等が使用され、その外装部材としては、塩化ビニール製シート等が使用され、該外装部材で主要吸音材を覆って防音パネルが構成されている。
【０００３】
そのため、軽量で取り扱いやすく、２つ以上の簡易型防音パネル同士を接続する場合は、各簡易型防音パネルに設けられた、例えば面ファスナーテープの双方を重ね合わせることにより、簡単に接続することも可能となっている。
【０００４】
従来の簡易型防音パネル装置の組立て方法は、各々平面状をなす簡易型防音パネルのみでは自立することができないため、例えば、簡易型防音パネルに備え付けられた取付けバンドを、先に枠組みした単管パイプ等の骨組みに固定して組立てていた（図１０乃至図１１参照）。
【０００５】
しかしながら、従来は、建設現場や解体工事現場等の作業箇所に簡易型防音パネル装置を設置しようとする際に、前記固定用の単管パイプ等の骨組み部材をあらかじめ準備し、単管パイプ等の骨組みを作業箇所に設置する必要があり、単管パイプ等の骨組み部材を設置するには、あらかじめ骨組み部材の設置計画を立てる必要があった。
そのため、骨組み部材を調達・運搬・設置・解体等を行うためには、各工程に要する時間や諸経費、人手が掛かるとの課題があった。
【０００６】
また、従来では、防音パネルで囲まれた隅角部の部分は、前記防音パネル同士の付き合わせた部分に相当するため、隙間ができやすく、この隙間部分から音が漏れでるおそれがあるとの課題もあった。
【先行技術文献】
【特許文献】
【０００７】
【特許文献１】特開平１０−１８３８１１号公報
【特許文献２】特許第５５２２６７１号公報
【発明の概要】
【発明が解決しようとする課題】
【０００８】
かくして、本発明は前記従来の課題を解消するために創案されたものであり、簡易型防音パネル装置を設置する際、単管パイプ等の骨組み部材を用意する必要がなく、そのため当該部材の設置計画や調達・運搬・設置・解体等を行うための各工程に要する時間や諸経費、人手を節減することができ、また単管パイプ等の骨組み部材の手配や入手が困難な状況においても、既存の平面状簡易型防音パネル部分をそのまま使って少人数で素早く手軽に設置することができ、また防音囲いの隅角部部分に隙間を生じさせることがないため音が漏れにくく、高い防音効果が得られ、さらに４面で構成される防音囲いを一体化とすることで組み立てた状態で別途吊り枠などを利用することにより吊り上げて移動することをも可能とした防音パネル装置の隅角部に使用される自立式コーナーパネルを提供することを目的とするものである。
【課題を解決するための手段】
【０００９】
本発明による防音パネル装置の隅角部に使用される自立式コーナーパネルは、
上下に開口を有する方形状囲い型防音パネル装置の隅角部に用いられる自立用のコーナーパネルであり、
幅方向略中央位置から縦方向に向かい二つ折り可能なコーナーパネル本体と、前記コーナーパネル本体を前記幅方向略中央位置から所定の折り曲げ角度に保持すべくコーナーパネル本体内側に取り付けられた角度保持リブと、コーナーパネル本体の長さ方向に沿って保持された防音パネル装置組立用パイプと、を有する、
ことを特徴とし、
または、
前記防音パネル装置組立用パイプは、パイプの長手方向に向かって伸縮可能に構成されたパイプである、
ことを特徴とし、
または、
前記防音パネル装置組立用パイプが不足のとき、前記コーナーパネルに保持されていないパイプを継ぎ足して使用する、
ことを特徴とし、
または、
前記前記防音パネル装置組立用パイプの接続に際しては、接続具を用い、一直線状にあるいは端部を重ね合わせて接続する、
ことを特徴とするものである。
【発明の効果】
【００１０】
本発明によれば、簡易型防音パネル装置を設置する際、単管パイプ等の骨組み部材を用意する必要がなく、そのため当該部材の設置計画や調達・運搬・設置・解体等を行うための各工程に要する時間や諸経費、人手を節減することができ、また単管パイプ等の骨組み部材の手配や入手が困難な状況においても、既存の簡易型防音パネルに使用されるパネル部材をそのまま使って少人数で素早く手軽に設置することができ、また防音囲いの隅角部部分に隙間がなくなるため音が漏れにくく、高い防音効果を得られ、さらに４面で構成される防音囲いを一体化とすることで組み立てた状態で別途吊り枠などを利用することにより吊り上げて移動することもできるとの優れた効果を奏する。
【図面の簡単な説明】
【００１１】
【図１】本発明によるコーナーパネルの構成を説明する説明図（１）である。
【図２】本発明によるコーナーパネルの構成を説明する説明図（２）である。
【図３】コーナーパネルと簡易型防音パネルとの概略的な連結状態を説明する説明図（１）である。
【図４】コーナーパネルと簡易型防音パネルとの概略的な連結状態を説明する説明図（２）である。
【図５】本発明による簡易型防音パネルの構成を説明する説明図（１）である。
【図６】本発明による簡易型防音パネルの構成を説明する説明図（２）である。
【図７】本発明の使用状態を説明する説明図（１）である。
【図８】本発明の使用状態を説明する説明図（２）である。
【図９】本発明の使用状態を説明する説明図（３）である。
【図１０】本発明の使用状態を説明する説明図（４）である。
【図１１】本発明の使用状態を説明する説明図（５）である。
【図１２】本発明の使用状態を説明する説明図（６）である。
【図１３】従来の構成を説明する説明図（１）である。
【図１４】従来の構成を説明する説明図（２）である。
【発明を実施するための形態】
【００１２】
以下、本発明を図に示す実施例に基づいて説明する。
【００１３】
本発明による自立式コーナーパネル１は、上下に開口を有する方形状囲い型防音パネル装置の隅角部に用いられる自立用のコーナーパネル１である（図１参照）。
【００１４】
この自立式コーナーパネル１は、例えば、吸音性を有するグラスウールや発泡ポリプロピレン等の吸音材を有する内部材料を塩化ビニール製シート等の外装材で被覆することなどにより通常構成される。
【００１５】
ここで、当該自立式コーナーパネル１は、その幅方向略中央位置から縦方向に向かい二つ折り可能なコーナーパネル本体２と、前記コーナーパネル本体２を前記幅方向略中央位置から所定の折り曲げ角度に保持すべくコーナーパネル本体２の内側に取り付けられる角度保持リブ３と、例えば、コーナーパネル本体２の幅方向端面において、そのコーナーパネル本体２の長さ方向に沿って保持出来るよう取り付けられた防音パネル装置組立用パイプ４とを有して構成されている。
【００１６】
すなわち、自立式コーナーパネル１は、略長方形状の板状をなすコーナーパネル本体２を概ね縦割り出来るようにし、その縦割りにしたコーナーパネル本体２を幅方向略中央位置から略直角の角度になる様折り曲げて配置し、その折り曲げた内側（折り曲げ部５）に複数の角度保持リブ３を取り付けて構成したものである。
【００１７】
ここで、当該角度保持リブ３は、各図から理解されるように、略二等辺三角形の形状に構成してなり、その略９０度をなす頂角部を前記直角に形成した折り曲げ部５の内側に添接すると共に、前記略９０度の頂角から各々傾斜する二等辺部分をそれぞれコーナーパネル本体２の内側面に固着して取り付けられる。
これにより、コーナーパネル本体２は常時略９０度に折り曲げられた状態に保持されるものとなる。
【００１８】
そして、図１、図２から理解されるように、この角度保持リブ３はコーナーパネル本体２の長手方向に向かい、間隔をあけて３箇所程度に取り付けられている。しかし、この角度保持リブ３の取り付け個数及び取付箇所の数については何ら限定されるものではない。
【００１９】
さらに、後述するが、例えば、簡易型防音パネル装置の使用現場において作業の終了後、この簡易型防音パネル装置を解体して収納するが、その際、自立式コーナーパネル１が決して嵩張らないよう構成してある。
【００２０】
すなわち、当該コーナーパネル本体２の内側に前記角度保持リブ３を折り込むことが出来てコーナーパネル本体２が二重折りに出来る様構成してもよいし、また、例えば、一方側の二等辺部分の端面とコーナーパネル本体２の内側面との添接部分に面ファスナーなど添着部材を取り付け、もって、固着及び固着取り外し可能な添接部に構成しても構わない。これによって、簡易型防音パネル装置を解体して収納するとき、自立式コーナーパネル１が決して嵩張らばることがない。
【００２１】
次に、図１などに示される様に、コーナーパネル本体２の幅方向両端部には、コーナーパネル本体２の長さ方向に沿って防音パネル装置組立用パイプ４が保持されている。
【００２２】
図１において、符号６は、取り付け部材であり、当該取り付け部材６により、コーナーパネル本体２の長さ方向に沿って防音パネル装置組立用パイプ４が保持されている。
【００２３】
図１などに示されるように、当該取り付け部材６は紐状の部材で構成されており、これを防音パネル装置組立用パイプ４に巻き付けてコーナーパネル本体２に固定するものとしている。しかし、取り付け部材６は、前記紐状の部材に限定されるものではない。
【００２４】
また、符号７は、固定部材であり、コーナーパネル本体２と防音パネル装置組立用パイプ４とを自由度を有して接続するものとしている。この固定部材７も紐状の部材で構成されているが決してこれに限定されない。
【００２５】
次に、本発明による自立式コーナーパネル１を防音パネル装置の隅角部に使用して簡易型防音パネル装置を構築する方法について説明する。
【００２６】
図３に示す様に、自立式コーナーパネル１の幅方向一端部側には、その表面側に例えば面ファスナーなどで構成された貼着片８が張り出して設けられ、他端部側には、前記貼着片８が着脱可能に貼着される、やはり面ファスナーなどで構成された被貼着部９が設けられている。
【００２７】
符号１０は、略長方形状をなす簡易型防音パネルであり、該簡易型防音パネル１０の幅方向一端部側に、表面に例えば面ファスナーなどで構成された貼着片８が張り出して設けられ、他端部側には、前記貼着片８が着脱可能に貼着される、やはり面ファスナーなどで構成された被貼着部９が設けられている。
【００２８】
よって、自立式コーナーパネル１と複数枚の簡易型防音パネル１０とは、前記貼着片８と被貼着部９とを貼り付けてスムーズに接続できる様になっている（図３、図４参照）。尚、図５、図６に示される様に、簡易型防音パネル１０の幅方向両側においても、前述した紐状なす取り付け部材６が複数個取り付けられている。そしてこれら取り付け部材６により、簡易型防音パネル１０と防音パネル装置組立用パイプ４とが密接に接続されるものとなる。
【００２９】
まず、自立式コーナーパネル１の端部に保持された左右回転の自由度を持つ防音パネル装置組立用パイプ４を、前記自立式コーナーパイプ１に接続した複数枚の簡易型防音パネル１０に、例えば水平方向に向かって沿わせ、前記取り付け部材６によって、簡易型防音パネル１０毎に固定していく。
【００３０】
すなわち、この防音パネル装置組立用パイプ４は、自立式コーナーパネル１においてもその端部に取り付けられた取り付け部材６により固定される。また、この防音パネル装置組立用パイプ４の延伸した先端部にあるもう一つの自立式コーナーパネル１側においてもその端部にある取り付け部材６により固定される。
【００３１】
ここで、防音パネル装置組立用パイプ４が短くて、対向する他方側の自立式コーナーパネル１に届かない場合がある。この場合には対向する自立式コーナーパネル１同士に向き合うように各々防音パネル装置組立用パイプ４を突出させ、簡易型防音パネル１０の面に接して各々自立式コーナーパネル１から伸ばされる防音パネル装置組立用パイプ４を先端部同士で接続するものとなる。図８，図９にその接続部１１が示されている。ここではカップラーなどの機械的接続具により一直線状に接続してあるが、この接続方法についても何ら限定されない。
【００３２】
尚、各々の防音パネル装置組立用パイプ４の取り付け高さをずらして先端の接続箇所で上下に重ね合わせ、その部分を柔軟性部材で構成された紐状バンドなどの締結具により固定しても構わない。
【００３３】
また、防音パネル装置組立用パイプ４については、伸縮できるタイプ、換言すれば長く伸ばせるタイプのパイプを使用することも出来、その場合は、長く伸ばして、他の防音パネル装置組立用パイプ４と接続することなく、１本のパイプで自立式コーナーパネル間に配置することが出来る。
【００３４】
また、自立式コーナーパネル１に保持されている防音パネル装置組立用パイプ４だけでは、パイプの長さが不足する場合も考えられる。例えば接続する簡易型防音パネル１０の枚数がきわめて多くなった場合などである。そのような場合には、コーナーパネル１に保持されていないパイプを継ぎ足して使用することが考えられる。しかし、なるべく同じ材質で同じ形のパイプを使用することが望ましい。
【００３５】
また、この防音パネル装置組立用パイプ４の外径の形状について、何ら限定されず円形でも四角形でも三角形状でも構わない。
【００３６】
コーナーパネル本体２への当該防音パネル装置組立用パイプ４の取り付けは、当該パイプ５が自由度を有して自在な方向へ配置可能であることが望ましいが、そのため、紐状の固定部材７のみならず、回転ヒンジ等の部材を用いて接続しても構わない。これにより防音パネル装置組立用パイプ６がコーナーパネル本体２から機械式に取り出され、自在な方向へ回転して配置できるよう構成しても構わない。
【００３７】
すなわち、自立式コーナーパネル１を単独で持ち運ぶに際し、当該防音パネル装置組立用パイプ４がコーナーパネル本体２から分離しないよう固定収納される構造であれば構わないものである。
【００３８】
尚、簡易型防音パネル装置の収納時には、その取り扱い上、なるべくはみ出た部分がなく、嵩張らないようにする為、前記防音パネル装置組立用パイプ４が自立式コーナーパネル１の高さ方向寸法内に収まる長さにしておくことが望ましいものである。
【００３９】
なお、本発明による自立式コーナーパネル１は、パネル自体に防音性を有し、また四隅の自立式コーナーパネル１同士を防音パネル装置組立用パイプ４等の骨組み部材で接続し、４面で構成される防音囲いを一体化して剛性をもたせられるものであれば、自立式コーナーパネル１を構成する材質はなんら限定されるものではない。
【００４０】
例えば、自立式コーナーパネル１の内部材料を木製、アルミ等の金属製、発泡材等を含むプラスチック類全般等で構成することもできる。
【符号の説明】
【００４１】
１        自立式コーナーパネル
２        コーナーパネル本体
３        角度保持リブ
４        防音パネル装置組立用パイプ
５        折り曲げ部
６        取り付け部材
７        パネル固定部材
８        貼着片
９        被貼着片
１０     簡易型防音パネル
１１     接続部
【図１】
2017128892.tif 000003
【図２】
2017128892.tif 000004
【図３】
2017128892.tif 000005
【図４】
2017128892.tif 000006
【図５】
2017128892.tif 000007
【図６】
2017128892.tif 000008
【図７】
2017128892.tif 000009
【図８】
2017128892.tif 000010
【図９】
2017128892.tif 000011
【図１０】
2017128892.tif 000012
【図１１】
2017128892.tif 000013
【図１２】
2017128892.tif 000014
【図１３】
2017128892.tif 000015
【図１４】
2017128892.tif 000016